(57)【要約】【課題】電話端末からのアクセスに限らずに、ユーザ操作により留守番メッセージに対する制御を行うことを可能にする。【解決手段】留守番電話センタサーバが、留守番電話サービスに加入している利用者別に、メールボックスとして該利用者宛の電子メールを保持するための記憶領域を有するメールボックス手段と、録音されたメッセージを音声メディアファイルとして添付した電子メールを作成して該メッセージが録音された際の着信先であるユーザのメールボックスに保持させるメッセージ登録手段と、所定のメールプロトコルに従って、メールクライアント・アプリケーションを実装している端末からメールボックスに対する操作要求を受け付けるメールプロトコル処理手段と、ユーザの管理情報として電話番号とメールプロトコルにおけるユーザ識別子とユーザ認証用の情報とを対応づけて記憶するユーザ管理情報記憶手段とを含むことを特徴とする。【選択図】図１
2010021757.tif 000002
【特許請求の範囲】
【請求項１】
電話端末による通話を実現する電話システムの利用者に対して留守番電話サービスを提供する留守番電話システムであって、
電話端末が着信に応答しない場合に発信者からのメッセージを録音するメッセージ録音手段を有する留守番電話センタサーバを備え、
前記留守番電話センタサーバは、
前記電話システムの利用者のうち少なくとも留守番電話サービスに加入している利用者別に、メールボックスとして該利用者宛の電子メールを保持するための記憶領域を有するメールボックス手段と、
前記メッセージ録音手段によって録音されたメッセージを音声メディアファイルとして添付した電子メールを作成し、作成した電子メールを当該電子メールに音声メディアファイルとして添付されているメッセージが録音された際の着信先であるユーザのメールボックスに保持させるメッセージ登録手段と、
所定のメールプロトコルに従って、メールクライアント・アプリケーションを実装している端末から、メールボックスに対する操作要求を受け付けて処理するメールプロトコル処理手段と、
ユーザの管理情報として、少なくとも前記電話システムにおいて通話の際に宛て先情報として用いられる電話番号と、前記メールプロトコル処理手段が実装しているメールプロトコルにおけるユーザ識別子と、該メールプロトコルにおけるユーザ認証用の情報とを対応づけて記憶するユーザ管理情報記憶手段とを含む
ことを特徴とする留守番電話システム。
【請求項２】
留守番電話センタサーバは、メールボックスに新たなメールが保持された旨を、そのユーザが本留守番電話サービスを提供している電話システムで用いている電話端末に、該電話システムにおけるメッセージ通知プロトコルを利用して通知するメッセージ通知手段を含む
請求項１に記載の留守番電話システム。
【請求項３】
録音されたメッセージが音声メディアファイルとして添付された電子メールをメールボックスにより管理するメッセージメール管理手段を含み、
メールプロトコル処理手段は、所定のメールプロトコルに従って端末から受け付けたメールボックスに対する操作要求の実行を前記メッセージメール管理手段に要求し、
前記メールメッセージ管理手段は、前記メールプロトコル処理手段からの要求に基づき、メールボックスに対する各種操作を行う
請求項１または請求項２に記載の留守番電話システム。
【請求項４】
異なるメールプロトコルを実装している複数のメールプロトコル処理手段を含み、
各メールプロトコル処理手段は、所定のメールプロトコルに従って端末から受け付けたメールボックスに対する操作要求を、内部コマンドに変換してメッセージメール管理手段に通知し、
メッセージメール管理手段は、前記各メールプロトコル処理手段から通知される内部コマンドに従って、メールボックスに対する各種操作を行う
請求項３に記載の留守番電話システム。
【請求項５】
メッセージ登録手段は、録音されたメッセージをユーザ別に設定されている音声メディアファイルの形式に変換した上で、変換後の音声メディアファイルが添付され、かつヘッダ情報または本文に添付した音声メディアファイルの情報を有する電子メールを作成して、メールボックス手段の該当するユーザのメールボックスに保持させる
請求項１から請求項４のうちのいずれか１項に記載の留守番電話システム。
【請求項６】
本留守番電話サービスを提供している電話システムで用いられる電話端末に共通して実装されているメールプロトコルを実装するメールプロトコル処理手段は、前記電話端末から前記メールプロトコルに沿って独自に定義された操作要求も受け付ける
請求項１から請求項５のうちのいずれか１項に記載の留守番電話システム。
【請求項７】
電話端末による通話を実現する電話システムの利用者に対して提供される留守番電話サービスにおいて録音されたメッセージを該当する利用者に提供するためのメッセージ提供方法であって、
前記電話システムの利用者のうち少なくとも留守番電話サービスに加入している利用者別に、メールボックスとして該利用者宛の電子メールを保持するための記憶領域を有するメールボックス手段を備えた留守番電話センタサーバが、
予めユーザの管理情報として記憶されている前記電話システムにおいて通話の際に宛て先情報として用いられる電話番号と、所定のメールプロトコルにおけるユーザ識別子と、該メールプロトコルにおけるユーザ認証用の情報とを対応づけた情報に基づいて、電話端末が着信に応答しない場合に録音された発信者からのメッセージを、音声メディアファイルとして添付した電子メールを作成し、
作成した電子メールを、当該電子メールに音声メディアファイルとして添付されているメッセージが録音された際の着信先であるユーザのメールボックスに保持させ、
所定のメールプロトコルに従って、メールクライアント・アプリケーションを実装している端末から、メールボックスに対する操作要求を受け付けて処理する
ことを特徴とするメッセージ提供方法。
【請求項８】
留守番電話センタサーバが、
異なるメールプロトコルに対応し、それぞれのメールプロトコルに従って、メールクライアント・アプリケーションを実装している端末から、メールボックスに対する操作要求を受け付けて処理する
請求項７に記載のメッセージ提供方法。
【請求項９】
電話端末による通話を実現する電話システムの利用者に対して提供される留守番電話サービスにおいて録音されたメッセージを前記利用者に提供するためのメッセージ提供用プログラムであって、
前記電話システムの利用者のうち少なくとも留守番電話サービスに加入している利用者別に、メールボックスとして該利用者宛の電子メールを保持するための記憶領域を有する記憶装置を備えたコンピュータに、
予めユーザの管理情報として記憶されている前記電話システムにおいて通話の際に宛て先情報として用いられる電話番号と、所定のメールプロトコルにおけるユーザ識別子と、該メールプロトコルにおけるユーザ認証用の情報とを対応づけた情報に基づいて、電話端末が着信に応答しない場合に録音された発信者からのメッセージを、音声メディアファイルとして添付した電子メールを作成する処理、
作成した電子メールを、当該電子メールに音声メディアファイルとして添付されているメッセージが録音された際の着信先であるユーザのメールボックスに保持させる処理、および
所定のメールプロトコルに従って、メールクライアント・アプリケーションを実装している端末から、メールボックスに対する操作要求を受け付ける処理
を実行させるためのメッセージ提供用プログラム。
【請求項１０】
コンピュータに、
異なるメールプロトコルに対応させ、それぞれのメールプロトコルに従って、メールクライアント・アプリケーションを実装している端末から、メールボックスに対する操作要求を受け付ける処理
を実行させる請求項９に記載のメッセージ提供用プログラム。
【発明の詳細な説明】
【技術分野】
【０００１】
本発明は、電話端末による通話を実現する電話システムの利用者に対して留守番電話サービスを提供する留守番電話システム、それに用いられるメッセージ提供方法およびメッセージ提供用プログラムに関する。
【背景技術】
【０００２】
例えば、携帯電話システムの利用者に対して提供される留守番電話サービスとして、各携帯電話会社により提供される留守番電話サービスがある。各携帯電話会社により提供される留守番電話サービスを契約すると、契約者の携帯電話機が圏外にいたり電源が入ってなかったりしてかかってきた電話にでることができない場合に、その発信者が留守番電話センタにメッセージを録音することができるようになる。そして、契約者の携帯電話機が通話可能になったところで、留守番電話センタに電話をかけ、携帯電話機に対して所定の操作を実行することで録音されたメッセージを聞くことができる。
【０００３】
なお、関連する先行技術文献として、例えば、特許文献１がある。
【０００４】
【特許文献１】特開２００５−２６０８５５号公報
【発明の開示】
【発明が解決しようとする課題】
【０００５】
しかし、録音されたメッセージを再生するのに、音声回線での接続インタフェースしか有さない留守番電話サービスでは、録音されたメッセージ（以下、留守番メッセージという。）の内容を確認するために、音声回線により留守番電話センタ側へ接続を実施しなければならないという問題があった。また、複数の留守番メッセージがある場合に、順番に再生していかなければならないという問題や、再生しなければ誰からのメッセージかが分からないという問題もあった。また、留守番メッセージの確認や再生が、電話機以外の端末で行えないという問題があった。
【０００６】
例えば、留守番メッセージの対象となった電話番号をもつ電話端末以外の端末からも留守番電話メッセージの内容を確認できることがより好ましい。また、留守番メッセージの再生順序だけでなく、そのメッセージの内容を確認するか否か、保存するか否かといったメッセージに対する制御をユーザがある程度自由に行えることが好ましい。
【０００７】
そこで、本発明は、音声回線による留守番電話センタへの発呼をしなくても、再生前に留守番メッセージを残した人を特定でき、かつ留守番メッセージの対象となった電話番号をもつ電話端末からのアクセスに限らずにユーザ操作により留守番メッセージに対する制御を行うことができる留守番電話システム、それに用いられるメッセージ提供方法およびメッセージ提供用プログラムを提供することを目的とする。
【課題を解決するための手段】
【０００８】
本発明による留守番電話システムは、電話端末による通話を実現する電話システムの利用者に対して留守番電話サービスを提供する留守番電話システムであって、電話端末が着信に応答しない場合に発信者からのメッセージを録音するメッセージ録音手段を有する留守番電話センタサーバを備え、留守番電話センタサーバは、電話システムの利用者のうち少なくとも留守番電話サービスに加入している利用者別に、メールボックスとして該利用者宛の電子メールを保持するための記憶領域を有するメールボックス手段と、メッセージ録音手段によって録音されたメッセージを音声メディアファイルとして添付した電子メールを作成し、作成した電子メールを当該電子メールに音声メディアファイルとして添付されているメッセージが録音された際の着信先であるユーザのメールボックスに保持させるメッセージ登録手段と、所定のメールプロトコルに従って、メールクライアント・アプリケーションを実装している端末から、メールボックスに対する操作要求を受け付けて処理するメールプロトコル処理手段と、ユーザの管理情報として、少なくとも電話システムにおいて通話の際に宛て先情報として用いられる電話番号と、メールプロトコル処理手段が実装しているメールプロトコルにおけるユーザ識別子と、該メールプロトコルにおけるユーザ認証用の情報とを対応づけて記憶するユーザ管理情報記憶手段とを含むことを特徴とする。
【０００９】
また、本発明によるメッセージ提供方法は、電話端末による通話を実現する電話システムの利用者に対して提供される留守番電話サービスにおいて録音されたメッセージを該当する利用者に提供するためのメッセージ提供方法であって、電話システムの利用者のうち少なくとも留守番電話サービスに加入している利用者別に、メールボックスとして該利用者宛の電子メールを保持するための記憶領域を有するメールボックス手段を備えた留守番電話センタサーバが、予めユーザの管理情報として記憶されている電話システムにおいて通話の際に宛て先情報として用いられる電話番号と、所定のメールプロトコルにおけるユーザ識別子と、該メールプロトコルにおけるユーザ認証用の情報とを対応づけた情報に基づいて、電話端末が着信に応答しない場合に録音された発信者からのメッセージを、音声メディアファイルとして添付した電子メールを作成し、作成した電子メールを、当該電子メールに音声メディアファイルとして添付されているメッセージが録音された際の着信先であるユーザのメールボックスに保持させ、所定のメールプロトコルに従って、メールクライアント・アプリケーションを実装している端末から、メールボックスに対する操作要求を受け付けて処理することを特徴とする。
【００１０】
また、本発明によるメッセージ提供用プログラムは、電話端末による通話を実現する電話システムの利用者に対して提供される留守番電話サービスにおいて録音されたメッセージを利用者に提供するためのメッセージ提供用プログラムであって、電話システムの利用者のうち少なくとも留守番電話サービスに加入している利用者別に、メールボックスとして該利用者宛の電子メールを保持するための記憶領域を有する記憶装置を備えたコンピュータに、予めユーザの管理情報として記憶されている電話システムにおいて通話の際に宛て先情報として用いられる電話番号と、所定のメールプロトコルにおけるユーザ識別子と、該メールプロトコルにおけるユーザ認証用の情報とを対応づけた情報に基づいて、電話端末が着信に応答しない場合に録音された発信者からのメッセージを、音声メディアファイルとして添付した電子メールを作成する処理、作成した電子メールを、当該電子メールに音声メディアファイルとして添付されているメッセージが録音された際の着信先であるユーザのメールボックスに保持させる処理、および所定のメールプロトコルに従って、メールクライアント・アプリケーションを実装している端末から、メールボックスに対する操作要求を受け付ける処理を実行させることを特徴とする。
【発明の効果】
【００１１】
本発明によれば、音声回線による留守番電話センタへの発呼をしなくても、再生前に留守番メッセージを残した人を特定でき、かつ留守番メッセージの対象となった電話番号をもつ電話端末からのアクセスに限らずにユーザ操作により留守番メッセージに対する制御を行うことができる。
【発明を実施するための最良の形態】
【００１２】
以下、発明を実施するための最良の形態について図面を参照して詳細に説明する。図１は、本発明による留守番電話システムが備える留守番電話センタサーバの構成例を示すブロック図である。図１に示す留守番電話センタサーバ１００は、電話端末が着信に応答しない場合に発信者からのメッセージを録音するメッセージ録音手段１０１の他に、メールボックス手段１０２と、メッセージ登録手段１０３と、メールプロトコル処理手段１０４と、ユーザ管理情報記憶手段１０５とを含む。
【００１３】
メールボックス手段１０２は、本留守番電話サービスを提供している電話システムの利用者のうち少なくとも留守番電話サービスに加入している利用者別に、メールボックスとして該利用者宛の電子メールを保持するための記憶領域を有する記憶装置である。
【００１４】
メッセージ登録手段１０３は、メッセージ録音手段１０１によって録音されたメッセージを音声メディアファイルとして添付した電子メールを作成し、作成した電子メールを当該電子メールに音声メディアファイルとして添付されているメッセージが録音された際の着信先であるユーザのメールボックスに保持させる。
【００１５】
また、メッセージ登録手段１０３は、録音されたメッセージをユーザ別に設定されている音声メディアファイルの形式に変換した上で、変換後の音声メディアファイルが添付され、かつヘッダ情報または本文に添付した音声メディアファイルの情報を有する電子メールを作成して、メールボックス手段の該当するユーザのメールボックスに保持させてもよい。
【００１６】
メールプロトコル処理手段１０４は、所定のメールプロトコルに従って、メールクライアント・アプリケーションを実装している端末から、メールボックスに対する操作要求を受け付けて処理する。
【００１７】
また、メールプロトコル処理手段１０４は、当該メールプロトコル処理手段１０４が実装しているメールプロトコルが、本留守番電話サービスを提供している電話システムで用いられる電話端末に共通して実装されているメールプロトコルである場合には、該電話システムの電話端末からであれば、実装しているメールプロトコルに沿って独自に定義された操作要求も受け付けるようにしてもよい。
【００１８】
ユーザ管理情報記憶手段１０５は、ユーザの管理情報として、少なくとも電話システムにおいて通話の際に宛て先情報として用いられる電話番号と、メールプロトコル処理手段が実装しているメールプロトコルにおけるユーザ識別子と、該メールプロトコルにおけるユーザ認証用の情報とを対応づけて記憶する。
【００１９】
また、留守番電話センタサーバ１００は、図２に示すように、さらにメッセージメール管理手段１０６を備えていてもよい。図２は、留守番電話センタサーバ１００の他の構成例を示すブロック図である。
【００２０】
メッセージメール管理手段１０６は、録音されたメッセージが音声メディアファイルとして添付された電子メールをメールボックスにより管理する。例えば、メールプロトコル機能手段１０４が、所定のメールプロトコルに従って端末から受け付けたメールボックスに対する操作要求の実行をメッセージメール管理手段１０６に要求するようにし、メッセージメール管理手段１０６は、メールプロトコル処理手段１０４からの要求に基づき、メールボックスに対する各種操作を行ってもよい。
【００２１】
また、異なるメールプロトコルを実装している複数のメールプロトコル処理手段１０４（１０４Ａ，１０４Ｂ）を備える場合には、各メールプロトコル処理手段１０４は、所定のメールプロトコルに従って端末から受け付けたメールボックスに対する操作要求を、内部コマンドに変換してメッセージメール管理手段１０６に通知するようにし、メッセージメール管理手段１０６は、各メールプロトコル処理手段１０４から通知される内部コマンドに従って、メールボックスに対する各種操作を行ってもよい。
【００２２】
また、図２に示すように、留守番電話センタサーバ１００は、さらにメッセージ通知手段１０７を備えていてもよい。メッセージ通知手段１０７は、メールボックスに新たなメールが保持された旨を、そのユーザが本留守番電話サービスを提供している電話システムで用いている電話端末に、該電話システムにおけるメッセージ通知プロトコルを利用して通知する。例えば、携帯電話システムであれば、ショートメッセージプロトコルを利用してショートメッセージで通知してもよい。
【００２３】
実施形態１．
以下、より具体的な実施形態について説明する。図３は、留守番電話システムの構成例を示す説明図である。図３に示す留守番電話システムは、ある通信事業者による携帯電話システムに適用した場合の留守番電話システムの例であって、留守番電話センタ１０と、携帯電話機２０と、パーソナルコンピュータ（以下、ＰＣという。）３０とを備える。
【００２４】
留守番電話センタ１０は、具体的には１つ以上のサーバ装置によって実現されるサーバシステムであって、図３に示すように、携帯電話網における音声回線インタフェースを有するとともに、ネットワーク４０に接続されるデータ回線インタフェースを有している。なお、携帯電話機２０およびＰＣ３０もネットワーク４０に接続されるデータ回線インタフェースを有しており、留守番電話センタ１０と携帯電話機２０とＰＣ３０とはネットワーク４０を介して接続される。また、図示省略しているが、携帯電話機２０は、基地局と無線通信を行うことにより携帯電話網に接続される。
【００２５】
また、留守番電話センタ１０は、メッセージメール管理部１１と、メッセージ録音部１２と、メッセージ再生部１３と、メッセージ登録部１４と、メッセージ通知部１５と、メールプロトコル機能部１６と、メールボックス部１７と、ユーザ管理情報記憶部１８とを備える。
【００２６】
メッセージメール管理部１１は、留守番メッセージをメールボックスにより管理する。メッセージメール管理部１１は、いわゆるメールサーバにおけるコマンド処理の実体を実装し、留守番メッセージが音声メディアファイルとして添付されたメールをユーザ別のメールボックスに登録したり、メールボックスの登録状況をユーザに通知したり、メールを読み出す等のメールボックスに対する各種操作を取りまとめて行う。また、各処理部（メールプロトコル機能部１６やメッセージ再生部１３）からの各メールに対するアクセス状況を管理し、排他制御や、音声メッセージとしての再生有無等の判定を行ってもよい。また、バックアップ処理による同期制御を行うことも可能である。なお、メッセージメール管理部１１は、図２に示したメッセージメール管理手段１０６に相当する処理部である。
【００２７】
メッセージ録音部１２は、音声メッセージを録音する。メッセージ録音部１２は、例えば、当該システムが適用される携帯電話網において、ある携帯電話機への発信が行われた場合に、その携帯電話機が所定時間内に着信を受理しなかった場合に、回線制御装置等からの指示によって、その発信元端末との通話用に割り当てられた音声回線上に流れる発信元端末からの音声メッセージを録音する。メッセージ録音部１２は、留守番メッセージを受け付ける旨のメッセージを流した上で、発信元端末からの音声メッセージを録音してもよい。なお、メッセージ録音部１２は、図１に示したメッセージ録音手段１０１に相当する処理部である。
【００２８】
メッセージ再生部１３は、携帯電話機等の本留守番電話サービスを契約している利用者が使用している電話端末からの要求に応じて、録音された音声メッセージである留守番メッセージを再生する。メッセージ再生部１３は、例えば、音声回線を用いて電話端末から送信される再生コマンド等に従い、メールの添付ファイルとして保持されている留守番メッセージをメールボックスから読み出し、音声に変換して出力することにより再生する。なお、実際のメールボックスに対する操作は、メッセージメール管理部１１を介して行われることが好ましい。
【００２９】
メッセージ登録部１４は、留守番メッセージおよびそれに関する情報を、音声データを添付ファイルにもつメールにしてユーザ別メールボックスに保存する（記憶させる）。メッセージ登録部１４は、例えば、宛て先情報として留守番メッセージの対象となった利用者のメールプロトコルにおけるユーザ識別子を有するとともに、その他のヘッダ情報や本文にその留守番メッセージに関する他の情報（録音者の電話番号、録音時間、音声コーデック情報等）を有し、かつ添付ファイルとしてその留守番メッセージの音声データが添付されたメールを新規に作成し、その作成したメールの宛て先情報に従って、該当するユーザのメールボックスに保存すればよい。なお、メッセージ登録部１４は、図１に示したメッセージ登録手段１０３に相当する処理部である。
【００３０】
なお、本システムにおいて、メッセージ登録部１４とメールボックス部１７とが異なるサーバ装置によって実現されている場合には、例えば、メールボックス部１７を具備しているサーバ装置が本システム用のメールサーバであるとして、メッセージ登録部１４は、メール送信プロトコルを用いて作成したメールを本システム用のメールサーバ宛てに送信することにより、メールボックス部１７の該当するユーザのメールボックスに登録されるようにしてもよい。
【００３１】
メッセージ通知部１５は、留守番メッセージが保存された旨をその通話の発信先である携帯電話機に通知する。メッセージ通知部１５は、例えば、携帯電話網が提供する通信機能の１つであるショートメッセージを利用して、留守番メッセージが保存された旨を通知してもよい。なお、メッセージ通知部１５による通知は、発信先の携帯電話機が利用可能になったときに、すばやく音声メッセージの有無を知ることができるようにするための機能であって、例えば、ユーザからの設定により通知有無を選択できるようにしてもよい。なお、メッセージ通知部１５は、図２に示したメッセージ通知手段１０７に相当する処理部である。
【００３２】
メールプロトコル機能部１６は、所定のメールプロトコルに従い、メールクライアントを実装した端末からのメールボックスに対する操作要求を、ユーザ認証を行った上で受け付けて処理し、必要に応じて応答を行うプロトコル制御の実行部である。なお、実際のメールボックスに対する操作は、メッセージメール管理部１１を介して行われることが好ましい。メールプロトコル機能部１６は、例えば、端末から送信されるメッセージがどのような要求であるかを所定のメールプロトコルに基づき解析し、その要求内容をメッセージメール管理部１１に処理させ、その結果を所定のメールプロトコルの応答メッセージにして返信すればよい。なお、メールプロトコル機能部１６は、図１に示したメールプロトコル処理手段１０４に相当する処理部である。
【００３３】
メールボックス部１７は、ユーザ別にそのユーザ宛てのメール（本実施形態では、そのユーザに対する留守番メッセージが音声メディアファイルとして添付されたメール）を保持しておくための記憶領域（すなわち、メールボックス）が確保されている記憶装置である。留守番メッセージをメールにし、ユーザ別に確保されているメールボックスで保持するとともに、これらメールに対するアクセスインタフェースを提供することによって、個々のユーザに対して留守番メッセージの取り込み等の制御がメールクライアントによる自由裁量において可能になる。なお、メールボックス部１７は、図１に示したメールボックス手段１０２に相当する記憶装置である。
【００３４】
ユーザ管理情報記憶部１８は、ユーザの管理情報を記憶する。本実施形態では、少なくとも携帯電話網における通話の宛先情報である電話番号と、メールプロトコル機能部１６が実装しているメールプロトコルにおけるユーザ識別子と、認証用パスワードとを対応づけて記憶する。なお、認証用パスワードは、メールプロトコル機能部１６が用いるメールプロトコルにおけるユーザ認証に用いる情報であればよく、必ずしもパスワードに限らない。採用するプロトコルによっては、電子証明書である場合も考えられる。また、メールプロトコルにおけるユーザ識別子は、当該留守番電話センタ１０においてユーザを識別できる情報であればよく、電話番号をそのまま用いることも可能である。なお、ユーザ管理情報記憶部１８は、図１に示したユーザ管理情報記憶手段１０５に相当する記憶装置である。
【００３５】
なお、本実施形態において、メッセージメール管理部１１は、例えば、プログラムに従って動作するＣＰＵによって実現される。また、メッセージ録音部１２やメッセージ再生部１３は、音声を符号化または復号化するための回路群およびそれを制御するＣＰＵによって実現される。また、メッセージ登録部１４、メッセージ通知部１５、メールプロトコル機能部１６は、例えば、プログラムに従って動作するＣＰＵによって実現される。なお、メッセージ録音部１２、メッセージ再生部１３、メッセージ通知部１５については、さらに携帯電話網とのインタフェース部を含めて実装される場合も考えられる。また、メールプロトコル機能部１６は、さらにデータ通信を行うためのプロトコルスタックやネットワークとのインタフェース部を含んで実装される場合も考えられる。
【００３６】
また、メールボックス部１７、ユーザ管理情報記憶部１８は、メモリやデータベースシステムといった記憶装置によって実現される。
【００３７】
また、携帯電話機２０およびＰＣ３０には、所定のメールプロトコルを用いてメールサーバにアクセスするためのメールクライアント・アプリケーション（以下、単にメールクライアントという。）２１，３１がそれぞれインストールされているものとする。
【００３８】
以下、本実施形態の動作を説明する。まず、留守番メッセージの登録動作について図４を参照して説明する。図４は、本実施形態の留守番電話システムにおける留守番メッセージの登録動作の一例を示すシーケンス図である。図４に示す例では、ユーザαが使用する電話端末を電話端末αとして示し、ユーザβが使用する携帯電話機を携帯電話機βとして示している。ここで、少なくともユーザβは、本留守番電話システムが適用される携帯電話システムにおいて留守番電話サービスに加入しているものとする。
【００３９】
図４に示すように、当該システムが適用される携帯電話網において、ユーザαが操作する電話端末αから、ユーザβに対して割り当てられている携帯電話番号宛てに発信が行われたとする（ステップＳ１０１）。このとき、ユーザβの携帯電話番号の使用端末である携帯電話機βが、圏外等により着信を受理しなかったとする。留守番電話センタ１０では、メッセージ録音部１２が、図示しない回線制御装置等からの指示により、その電話端末αからの音声メッセージを録音する（ステップＳ１０２）。
【００４０】
メッセージ録音部１２によって音声メッセージが録音されると、その旨の通知を受けたメッセージ登録部１４は、その録音された音声メッセージ（留守番メッセージ）およびそれに関する情報を、音声データを添付ファイルにもつメールにしてユーザ別メールボックスに保存する（ステップＳ１０３）。メッセージ登録部１４は、例えば、送信元情報として留守番メッセージが登録された通話の発信元の電話番号を有し、宛て先情報として該通話の発信先の電話番号を有し、添付ファイルとしてその留守番メッセージの音声データが添付されたメールを作成し、作成したメールをその宛て先情報で示される電話番号をユーザ識別子にして特定されるメールボックス部１７上のユーザ別のメールボックスに記憶させる。
【００４１】
なお、メッセージ登録部１４は、作成したメールをメッセージメール管理部１１に引き渡して登録を依頼することによって、メッセージメール管理部１１にメールボックスへの登録を行わせてもよい。このとき、該メールに対してユニークな識別子（以下、ＵＩＤという。）が割り当てられるとともに、該メールのステータス情報が生成されるようにしてもよい。
【００４２】
次に、メッセージ通知部１５は、メールボックスに新たな留守番メッセージが保存されたことを受けて、その旨を発信先である携帯電話機β宛てのショートメッセージを送信することにより通知する（ステップＳ１０４）。メッセージ通知部１５は、例えば、メッセージメール管理部１１からの指示に従い、携帯電話機β宛てのショートメッセージを作成し、携帯電話網に対して送出すればよい。
【００４３】
以上の動作により、留守番メッセージは、その留守番メッセージを音声メディアファイルとして添付するメール形式に変換されてメールボックス上で管理されるようになる。
【００４４】
次に、留守番メッセージの確認動作について図５および図６を参照して説明する。図５および図６は、本実施形態の留守番電話システムにおける留守番メッセージの確認動作の一例を示すシーケンス図である。なお、図５に示す例は、携帯電話機を用いて留守番メッセージを確認する場合の動作例である。また、図６に示す例は、パーソナルコンピュータを用いて留守番メッセージを確認する場合の動作例である。
【００４５】
例えば、ユーザβは、自分宛の留守番メッセージを携帯電話機βから確認したい場合には、携帯電話機βにインストールされているメールクライアント・アプリケーションを操作して、本システム用のメールサーバとしての留守番電話センタ１０に対して、所定のメールプロトコル（例えば、ＰＯＰ，ＩＭＡＰ等）によりアクセスする（ステップＳ２０１）。なお、留守番電話センタ１０では、当該留守番電話センタ１０を具体的に構成している装置のうち少なくともメールプロトコル機能部１６を実現している装置がメールサーバとしてネットワーク４０上に公開されていればよい。
【００４６】
留守番電話センタ１０では、メールプロトコル機能部１６が、所定のメールプロトコルに従い、携帯電話機βのメールクライアント２１からのアクセスを待ち受けている。メールプロトコル機能部１６は、メールクライアントからのアクセスを検出すると、まずユーザ認証を行う（ステップＳ２０２）。
【００４７】
ユーザ認証は、例えば、アクセスコマンドに含まれるユーザ識別子とパスワードの組が、ユーザ管理情報記憶部１８に登録されているユーザ識別子と認証用パスワードの組みと一致するか否かを判定することにより行う。メールプロトコルによっては、複数シーケンスに渡るメッセージのやりとりによって、アクセスしてきたユーザが正しいユーザであることを確認する方法をとることも考えられる。なお、メールプロトコルに従った認証方法であれば、どのような方法であってもよい。
【００４８】
ユーザ認証に成功すれば（ステップＳ２０２のＹｅｓ）、メールプロトコル機能部１６は、引き続き同コネクション上で、メールプロトコルによる携帯電話機βからの操作コマンドを待ちうける。なお、メールプロトコル機能部１６は、メールプロトコルにおける正規のコマンド以外のコマンドを受け付けることも可能である。例えば、メールプロトコルにおける正規のコマンドに真似た形式で別途規定したコマンドを待ち受けて処理することも可能である。
【００４９】
一方、携帯電話機βは、一連の操作コマンドとして、例えば、ユーザ認証実施後に、当該ユーザのメールボックスに保存されているメールの件数の確認をしたり、未読メールのヘッダ情報の一覧を取得したり、メール本体の取り込みを実施するためのコマンドを送信する。
【００５０】
以下に、メッセージを確認するための一連の操作コマンドの例を示す。例えば、携帯電話機βのメールクライアント２１は、所定のメールプロトコルに従って、当該メールクライアント２１に設定されているユーザのメールボックスに保持されているメール（ここでは、留守番メッセージが音声メディアファイルとして添付されているメール）のうち未読件数を確認するコマンドを送信する（ステップＳ２０３）。
【００５１】
留守番電話センタ１０では、メールプロトコル機能部１６がそのコマンドを受信し、コマンドの種別に応じて所定の処理を行う。メールの件数を確認する旨のコマンドであれば、接続中のユーザのメールボックスに現在保持されているメールのうち携帯電話機βによってまだ取得されていないメール（すなわち、未読メール）の件数を確認し、その結果を付加した応答コマンドを要求元の携帯電話機βに送信すればよい（ステップＳ２０４）。なお、未読メールの件数は、例えば、各メールのステータス情報（ＩＭＡＰ４であれば、識別属性）として未読か否かを示すフラグを保持しておき、各メールのフラグ値を確認することにより、確認すればよい。
【００５２】
なお、メールプロトコルが提供しているコマンドの種類によっては、未読か否かをメールサーバ側で管理せずに、メールクライアント側でメールサーバに保存されているメールの件数やヘッダ情報を取得し、自身が保持しているメールのヘッダ情報と比較することにより判断する場合もある。
【００５３】
応答コマンドを受信した携帯電話機βのメールクライアント２１は、例えば、未読メールの件数分、メールの取り込みコマンド（ダウンロードコマンド）を送信する（ステップＳ２０５）。
【００５４】
留守番電話センタ１０では、メールプロトコル機能部１６がそのコマンドを受信し、コマンドの種別に応じて所定の処理を行う。メールの取り込みを要求する旨のコマンドであれば、接続中のユーザのメールボックスに現在保持されているメールのうち携帯電話機βによって指定されたメールを読み出して、その内容を付加した応答コマンドを要求元の携帯電話機βに送信すればよい（ステップＳ２０６）。なお、どのメールを取り出すかは、例えば、先に取得したヘッダ情報に記載されているメールのＵＩＤを用いて指定できる。
【００５５】
この他にも、例えば、フォルダの作成や、フォルダ間の移動、ファイルの削除等のコマンド処理を実装してもよい。
【００５６】
以上の動作により、携帯電話機βに留守番メッセージが音声メディアファイルとして添付されたメールがダウンロードされる。携帯電話機βのメールクライアント２１は、受信したメールを自端末上のメールボックスに保存し、受信したメールの情報を一覧形式等により表示する（ステップＳ２０７）。
【００５７】
携帯電話機βのユーザβは、受信したメールの情報を確認した上で、再生したいメッセージが添付されているメールを選択して、そのメールに添付されている音声メディアファイルを再生するための操作を行えばよい。例えば、携帯電話機βのメールクライアント２１がこの操作を受け付けて、ＯＳを介して音声再生用のコーデック部等に指定された音声メディアファイルを出力することにより、所望の留守番メッセージを再生させる（ステップＳ２０８）。
【００５８】
また、例えば、ユーザβは、ＰＣβから自分宛の留守番メッセージを確認したいとする。このような場合には、図６に示すように、ＰＣβにインストールされているメールクライアント・アプリケーションを操作して、本システム用のメールサーバとしての留守番電話センタ１０に対して、所定のメールプロトコル（例えば、ＰＯＰ，ＩＭＡＰ等）によりアクセスすればよい（ステップＳ３０１）。
【００５９】
なお、図６に示すように、ＰＣβを用いて留守番電話センタ１０にアクセスする場合であっても、基本的な動作は、携帯電話機βを用いて留守番電話センタ１０にアクセスする場合と同様である。すなわち、図４に示すステップＳ２０１〜Ｓ２０８と、図５に示すステップＳ３０１〜３０８の動作は利用者側の端末が異なるだけで同様である。仮に、携帯電話機βのメールクライアント２１で実装しているメールプロトコルと、ＰＣβのメールクライアント３１で実装しているメールプロトコルが異なる場合には、留守番電話センタ１０が、それぞれのメールプロトコルに対応したメールプロトコル機能部１６を備えればよい。
【００６０】
なお、メールプロトコル毎に、要求できる処理が異なる場合もありうるが、そのような場合には、各メールプロトコルで要求できる処理内容に対応させた内部コマンドを定義しておき、各メールプロトコル機能部１６は、受け付けた操作内容を内部コマンドに変換してメッセージメール管理部１１に通知するようにすればよい。
【００６１】
メッセージメール管理部１１では、各メールプロトコル処理手段１０４から通知される内部コマンドに従って、メールボックスに対する各種操作を行えばよい。メールボックス内に振り分け用のフォルダを生成可能なプロトコルとそうでないプロトコルとを併存させる場合には、例えば、データベースシステム上において実メールボックスとの整合性をとりつつ仮想メールボックスとして各プロトコル別のメールボックスの状態を保持させるといった方法により、プロトコル間の整合性を保つようにすればよい。
【００６２】
実施形態２．
また、図７に、留守番電話センタ１０の他の構成例を示す。図７に示すように、例えば、既存の留守番電話センタと組み合わせて、本発明による留守番電話センタ１０を構築することも可能である。図７に示す留守番電話センタ１０は、従来のように音声でのメッセージ提供を行う音声用留守番電話センタ１０ａと、メール用留守番電話センタ１０ｂと、これら２つのセンタから共通で利用されるユーザ管理情報記憶部１８とによって構成される。
【００６３】
音声用留守番電話センタ１０ａは、メッセージ管理部１２と、メッセージ録音部１３と、メール作成部１４１と、メッセージボックス部１７ａとを含む。なお、メール作成部１４１以外の処理部は、一般的な留守番電話センタに含まれる処理部である。
【００６４】
本例では、メッセージ管理部１２は、音声データのままメッセージをメッセージボックス部１７ａにより管理する。なお、メッセージ管理部１２は、メッセージボックスに対する操作を受け付けて処理する機能を有し、その一部には、上述のメッセージ再生部１２の機能であるメッセージの再生処理も含まれる。
【００６５】
また、メール作成部１４１は、上述のメッセージ登録部１４の一機能として実装され、メッセージ録音部１３によって録音されたメッセージ（留守番メッセージ）を音声メディアファイルとして添付した電子メールを作成し、メール用留守番電話センタ１０ｂに送信する。
【００６６】
また、メッセージボックス部１７ａは、留守番電話サービスに加入している利用者別に、メッセージボックスとして該利用者に向けて録音されたメッセージ（留守番メッセージ）である音声データを保持するための記憶領域を有する記憶装置である。
【００６７】
一方、メール用留守番電話センタ１０ｂは、メール登録部１４２と、メールボックス部１７と、メッセージメール管理部１１と、メールプロトコル機能部１６と、メールボックス部１７とを含む。
【００６８】
本例では、メール登録部１４２は、上述のメッセージ登録部１４の一機能として実装され、音声用留守番電話センタ１０ａのメール作成部１４１から送信された留守番メッセージが音声メディアファイルとして添付された電子メールを受信し、受信した電子メールを当該電子メールに音声メディアファイルとして添付されているメッセージが録音された際の着信先であるユーザのメールボックスに保持させる。なお、どのユーザのメールボックスに保持させるかは、電子メールのヘッダ情報に付与されているあて先情報によって示されるユーザ識別子により判断すればよい。
【００６９】
以上のように、本実施形態によれば、留守番メッセージの内容を確認するために、音声回線により留守番電話センタ側へ接続を実施しなくても、留守番メッセージの内容を確認することが可能である。また、複数の留守番メッセージがある場合であっても、メールクライアント・アプリケーションを操作するだけで、ユーザがその再生順序や再生有無を自由に選択することができる。また、メールのヘッダ情報により、再生する前に誰からのメッセージかといった情報を知ることも可能である。また、留守番メッセージの対象となった電話番号をもつ電話端末に限らず、電話端末以外の端末からでも、録音メッセージの確認や再生を行うことが可能である。
【００７０】
また、図７に示す例では、メール用留守番電話センタ１０ａが２つのメールプロトコル機能部１６（１６−１，１６−２）を備える例を示している。
【００７１】
メールプロトコル機能部１６−１は、ＩＭＡＰ４（Internet Mail Access Protocol version 4 ）対応のメールプロトコル機能部１６であって、ＩＭＡＰ４に従って、メールクライアント・アプリケーションを実装している端末から、メールボックスに対する操作要求を受け付けて処理する。
【００７２】
また、メールプロトコル機能部１６−２は、ＰＯＰ３（Post Office Protocol version 3）対応のメールプロトコル機能部１６であって、ＰＯＰ３に従って、メールクライアント・アプリケーションを実装している端末から、メールボックスに対する操作要求を受け付けて処理する。
【００７３】
本例では、各メールプロトコル機能部１６は、それぞれＩＭＡＰ４やＰＯＰ３に従って端末から受け付けたメールボックスに対する操作要求を、内部コマンドに変換してメッセージメール管理部１１に通知する。メッセージメール管理部１１は、各メールプロトコル機能部１６から通知される内部コマンドに従って、メールボックス部１７上のメールボックスに対する各種操作を行えばよい。
【００７４】
または、メッセージメール管理部１１は、メールボックス上のメールに対する操作を行うための手続きを提供するに留め、各メールプロトコル機能部１６が、それぞれメッセージメール管理部１１により提供される手続きを利用して、メールボックスに対する操作を行うことも可能である。
【００７５】
また、本例のように、既存の留守番電話センタ（音声用留守番電話センタ１０ａ）を利用する場合、メール作成部１４１またはメール登録部１４２に、ヘッダ情報の編集機能や音声ファイルのデコードおよびエンコード機能を追加してもよい。より具体的には、本留守電話サービスを提供している電話システムに応じて、音声メディアファイルの形式を変換したり、ヘッダ情報にシステム固有の情報を付加するといった機能を追加してもよい。このような機能を有することで、例えば、当該電話システムに用いられる本サービス対応の電話端末で確実に再生可能にすることができる。なお、他の点に関しては、図３に示した留守番電話センタ１０と同様である。
【産業上の利用可能性】
【００７６】
本発明は、留守番メッセージに限らず、電話端末による通話を実現する電話システムの利用者に対して、データを保存し、かつ保存したデータを提供する用途に好適に適用可能である。
【図面の簡単な説明】
【００７７】
【図１】本発明による留守番電話システムが備える留守番電話センタサーバの構成例を示すブロック図である。
【図２】留守番電話センタサーバの他の構成例を示すブロック図である。
【図３】本発明による留守番電話システムの構成例を示すブロック図である。
【図４】本発明による留守番電話システムの動作（メッセージ登録動作）の一例を示すシーケンス図である。
【図５】本発明による留守番電話システムの動作（メッセージ確認動作）の一例を示すシーケンス図である。
【図６】本発明による留守番電話システムの動作（メッセージ確認動作）の一例を示すシーケンス図である。
【図７】本発明による留守番電話システムの他の構成例を示すブロック図である。
【符号の説明】
【００７８】
１００  留守番電話センタサーバ
１０１  メッセージ録音手段
１０２  メールボックス手段
１０３  メッセージ登録手段
１０４  メールプロトコル処理手段
１０５  ユーザ管理情報記憶手段
１０６  メッセージメール管理手段
１０７  メッセージ通知手段
１０  留守番電話センタ（サーバシステム）
１１  メッセージメール管理部
１２  メッセージ録音部
１３  メッセージ再生部
１４  メッセージ登録部
１５  メッセージ通知部
１６  メールプロトコル機能部
１７  メールボックス部
１８  ユーザ管理情報記憶部
２０  携帯電話機
２１  メールクライアント
３０  ＰＣ
３１  メールクライアント
４０  ネットワーク
【図１】
2010021757.tif 000003
【図２】
2010021757.tif 000004
【図３】
2010021757.tif 000005
【図４】
2010021757.tif 000006
【図５】
2010021757.tif 000007
【図６】
2010021757.tif 000008
【図７】
2010021757.tif 000009